(57)【要約】【課題】複数の作業に係る処理を並行して実行する際に、保留中の作業が放置されたままになることを防止する仕組みを提供する。【解決手段】複数の作業に係る処理を並行して実行可能に構成された情報処理装置１１０において、表示部１１７は、複数の作業ごとに、各作業を識別する見出し部を表示する。そして、制御部１１１は、入力部１１６を介した見出し部の選択に基づいて、カレントの作業を切り替え、カレントの作業が切り替えられた際に、当該カレントの作業以外の保留の作業に係る見出し部に、当該保留の作業の保留状態を示す保留情報を表示する制御を行う。【選択図】図２
2010200917.tif 000002
【特許請求の範囲】
【請求項１】
複数の作業に係る処理を並行して実行可能に構成された情報処理装置であって、
前記複数の作業ごとに、各作業を識別する見出し部を表示する表示手段と、
前記見出し部の選択に基づいて、カレントの作業を切り替える切り替え手段と、
前記切り替え手段によりカレントの作業が切り替えられた際に、当該カレントの作業以外の保留の作業に係る前記見出し部に、当該保留の作業の保留状態を示す保留情報を表示する制御を行う表示制御手段と
を有することを特徴とする情報処理装置。
【請求項２】
前記表示制御手段は、前記カレントの作業のフォーカスが外れたタイミングで、前記保留の作業に係る前記見出し部に前記保留情報を表示することを特徴とする請求項１に記載の情報処理装置。
【請求項３】
前記表示制御手段は、前記保留の作業の内容に応じて、前記保留の作業に係る前記見出し部に前記保留情報を表示・非表示とする制御を行うことを特徴とする請求項１に記載の情報処理装置。
【請求項４】
時間を計測する時間計測手段を更に有し、
前記表示制御手段は、前記保留情報として、前記時間計測手段により計測された、前記カレントの作業のフォーカスが外れた時点からの保留時間を表示することを特徴とする請求項１乃至３のいずれか１項に記載の情報処理装置。
【請求項５】
前記保留時間は、前記カレントの作業のフォーカスが最初に外れた時点からの時間であることを特徴とする請求項４に記載の情報処理装置。
【請求項６】
前記保留情報は、全ての保留期間を積算した保留時間であることを特徴とする特徴とする請求項１乃至３のいずれか１項に記載の情報処理装置。
【請求項７】
アラーム音を鳴動するアラーム音鳴動手段を更に有し、
前記アラーム音鳴動手段は、前記保留時間が一定の時間に達した場合に、アラーム音を鳴動することを特徴とする請求項４乃至６のいずれか１項に記載の情報処理装置。
【請求項８】
前記保留情報は、前記カレントの作業のフォーカスが外れた順序情報、前記カレントの作業のフォーカスが最初に外れた順序情報、或いは、全ての保留期間を積算した保留時間が長い順序情報であることを特徴とする請求項１乃至３のいずれか１項に記載の情報処理装置。
【請求項９】
当該情報処理装置は、Ｘ線撮影装置であり、前記見出し部は、ＧＵＩのタブであることを特徴とする請求項１乃至８のいずれか１項に記載の情報処理装置。
【請求項１０】
当該情報処理装置は、Ｘ線撮影装置であり、
前記表示制御手段は、前記保留の作業の内容がＸ線撮影を伴う検査である場合に、当該保留の作業に係る前記見出し部に前記保留情報を表示し、前記保留の作業の内容がＸ線撮影を伴う検査ではない場合に、当該保留の作業に係る前記見出し部に前記保留情報を非表示とすることを特徴とする請求項３に記載の情報処理装置。
【請求項１１】
複数の作業に係る処理を並行して実行可能に構成された情報処理装置の制御方法であって、
前記複数の作業ごとに、各作業を識別する見出し部を表示手段に表示する表示ステップと、
前記見出し部の選択に基づいて、カレントの作業を切り替える切り替えステップと、
前記切り替えステップによりカレントの作業が切り替えられた際に、当該カレントの作業以外の保留の作業に係る前記見出し部に、当該保留の作業の保留状態を示す保留情報を表示する制御を行う表示制御ステップと
を有することを特徴とする情報処理装置の制御方法。
【請求項１２】
複数の作業に係る処理を並行して実行可能に構成された情報処理装置の制御方法をコンピュータに実行させるためのプログラムであって、
前記複数の作業ごとに、各作業を識別する見出し部を表示手段に表示する表示ステップと、
前記見出し部の選択に基づいて、カレントの作業を切り替える切り替えステップと、
前記切り替えステップによりカレントの作業が切り替えられた際に、当該カレントの作業以外の保留の作業に係る前記見出し部に、当該保留の作業の保留状態を示す保留情報を表示する制御を行う表示制御ステップと
をコンピュータに実行させるためのプログラム。
【発明の詳細な説明】
【技術分野】
【０００１】
本発明は、複数の作業に係る処理を並行して実行可能に構成された情報処理装置及びその制御方法、並びに、当該制御方法をコンピュータに実行させるためのプログラムに関するものである。
【背景技術】
【０００２】
昨今、一般的に普及しているパーソナルコンピュータ（以下、「ＰＣ」と称する）から特定分野の専用システムまで、様々な情報処理システムは、同時に複数の作業が実行できるように設計されている。
【０００３】
通常、これらの情報処理システムでは、並行して実行している複数の作業のうち、どの作業をカレントの作業とするかを、例えばＧＵＩで選択できるようになっており、操作者は、当該カレントの作業を対象に操作を行うようになっている。また、この場合、カレントではない他の作業は保留状態となっており、当該他の作業はＧＵＩの操作によってカレントの状態になるまで操作の対象とはならない。
【０００４】
例えば、一般的に普及しているＰＣにおいては、ワードプロセッサや表計算などの複数の作業を並行して実行することができる。そして、これらの複数の作業を切り替える１つの方法として、画面上のタスクバーと称するＧＵＩを用いる方法がある。具体的に、このタスクバー上には、作業を識別する表示部品（見出し部）として、作業のタイトルやアイコンが表示され、それらを選択することにより、カレントの作業を切り替えるようになっている。
【０００５】
また、例えば、Ｘ線撮影システムのような特定分野の専用システムにおいては、Ｘ線撮影の検査や、撮影済み過去画像の表示などの作業を並行して実行することができる。この際、ある患者の検査を開始して全てのＸ線撮影が終了する前に、緊急度の高い他の患者の検査が割り込むこともあり、複数の患者の検査を並行して実行することが求められている。ＧＵＩの動きとしては、検査が開始されると、ＧＵＩ上にその作業を識別する表示部品（見出し部）として検査のタブが追加され、また、検査が終了すると、その検査のタブが消去される。このタブには、患者名或いは検査ＩＤなど、検査を特定するための情報が表示される。また、検査が終了する前に、次の患者の検査が開始されると、実施中であった検査のタブが非選択状態になって保留され、開始した検査のタブが追加される。この際、複数の検査を保留することも可能であり、保留された検査を再開するには、ＧＵＩ上で再開したい検査のタブを選択することになる。
【０００６】
また、他のＸ線撮影システムの例として、下記の特許文献１には、実施中の検査を保留にして、他の検査を実施した後、当該保留にしていた検査を再開するアイデアが開示されている。この特許文献１の例では、ＧＵＩの"予約受付リスト画面"から保留されている検査を選択することにより、保留中の検査の再開ができるようになっている。
【先行技術文献】
【特許文献】
【０００７】
【特許文献１】特開２００３−２４５２７０号公報
【発明の概要】
【発明が解決しようとする課題】
【０００８】
上述したように、複数の作業を実行する従来の情報処理システムでは、タブやリスト、タスクバー等のＧＵＩに作業を識別する表示部品（見出し部）を表示して、それらを選択することによりカレントの作業を選択する仕組みとなっている。また、これらの表示部品は、選択状態と非選択状態の区別がついたり、リスト上に保留である旨が表示されたりするので、どの作業が保留されているのか知ることができる。
【０００９】
しかしながら、従来の情報処理システムでは、どの作業がどのくらいの時間保留されているのかまでは知ることができず、次にどの作業を再開するべきかを判断する情報がないため、長時間放置されたままになる作業がでてくる可能性があるという問題点があった。特に、Ｘ線撮影システムにおいては、患者の待ち時間が不必要に長くなる可能性があるという問題点があった。また、保留された作業のうち、放置すべきでない作業と、放置しても問題ない作業との区別ができないという問題点もあった。
【００１０】
本発明は、このような問題点に鑑みてなされたものであり、複数の作業に係る処理を並行して実行する際に、保留中の作業が放置されたままになることを防止する仕組みを提供することを目的とする。
【課題を解決するための手段】
【００１１】
本発明の情報処理装置は、複数の作業に係る処理を並行して実行可能に構成された情報処理装置であって、前記複数の作業ごとに、各作業を識別する見出し部を表示する表示手段と、前記見出し部の選択に基づいて、カレントの作業を切り替える切り替え手段と、前記切り替え手段によりカレントの作業が切り替えられた際に、当該カレントの作業以外の保留の作業に係る前記見出し部に、当該保留の作業の保留状態を示す保留情報を表示する制御を行う表示制御手段とを有する。
【００１２】
本発明の情報処理装置の制御方法は、複数の作業に係る処理を並行して実行可能に構成された情報処理装置の制御方法であって、前記複数の作業ごとに、各作業を識別する見出し部を表示手段に表示する表示ステップと、前記見出し部の選択に基づいて、カレントの作業を切り替える切り替えステップと、前記切り替えステップによりカレントの作業が切り替えられた際に、当該カレントの作業以外の保留の作業に係る前記見出し部に、当該保留の作業の保留状態を示す保留情報を表示する制御を行う表示制御ステップとを有する。
【００１３】
本発明のプログラムは、複数の作業に係る処理を並行して実行可能に構成された情報処理装置の制御方法をコンピュータに実行させるためのプログラムであって、前記複数の作業ごとに、各作業を識別する見出し部を表示手段に表示する表示ステップと、前記見出し部の選択に基づいて、カレントの作業を切り替える切り替えステップと、前記切り替えステップによりカレントの作業が切り替えられた際に、当該カレントの作業以外の保留の作業に係る前記見出し部に、当該保留の作業の保留状態を示す保留情報を表示する制御を行う表示制御ステップとをコンピュータに実行させるためのものである。
【発明の効果】
【００１４】
本発明によれば、複数の作業に係る処理を並行して実行する際に、保留中の作業が放置されたままになることを防止する仕組みを提供することができる。
【図面の簡単な説明】
【００１５】
【図１】本発明の第１の実施形態に係るＸ線撮影システム（情報処理システム）の概略構成の一例を示す模式図である。
【図２】本発明の第１の実施形態に係るＸ線撮影装置（情報処理装置）の内部構成の一例を示す模式図である。
【図３】本発明の第１の実施形態に係るＸ線撮影装置（情報処理装置）において、新規検査ボタンが操作された際の処理手順の一例を示すフローチャートである。
【図４】本発明の第１の実施形態を示し、新規検査ボタンが押されたときに、図２の表示部に表示される新規検査リストの画面の一例を示す模式図である。
【図５】本発明の第１の実施形態を示し、検査が新規作業として追加された際に、図２の表示部に表示される検査画面の一例を示す模式図である。
【図６】本発明の第１の実施形態に係るＸ線撮影装置（情報処理装置）において、過去検査参照ボタンが操作された際の処理手順の一例を示すフローチャートである。
【図７】本発明の第１の実施形態を示し、過去検査参照ボタンが押されたときに、図２の表示部に表示される過去検査リストの画面の一例を示す模式図である。
【図８】本発明の第１の実施形態を示し、検査の参照が新規作業として追加された際に、図２の表示部に表示される参照画面の一例を示す模式図である。
【図９】本発明の第１の実施形態に係るＸ線撮影装置（情報処理装置）において、図５に示す検査画面の操作に対する処理手順の一例を示すフローチャートである。
【図１０】本発明の第１の実施形態を示し、図５に示す検査画面の状態から、１枚の医用画像を撮影した後の検査画面の一例を示す模式図である。
【図１１】本発明の第１の実施形態を示し、図１０に示す検査画面の状態から、新たな患者の検査が新規作業として追加された際に、図２の表示部に表示される検査画面の一例を示す模式図である。
【図１２】本発明の第１の実施形態に係るＸ線撮影装置（情報処理装置）で管理される保留情報テーブルの一例を示す模式図である。
【図１３】本発明の第１の実施形態を示し、図１１に示す検査画面の状態から、新たな患者の検査が新規作業として追加され、１枚の医用画像を撮影した後の検査画面の一例を示す模式図である。
【図１４】本発明の第１の実施形態を示し、図１３に示す検査画面の状態から、左から２番目のタブが選択された場合の検査画面の一例を示す模式図である。
【図１５】本発明の第２の実施形態に係るＸ線撮影装置（情報処理装置）で管理される保留情報テーブルの一例を示す模式図である。
【図１６】本発明の第２の実施形態を示し、新規検査作業を開始した後に同じ患者の過去検査参照作業を追加し、更に新規検査作業を２件追加した際に、図２の表示部に表示される検査画面の一例を示す模式図である。
【図１７】本発明の第３の実施形態に係るＸ線撮影装置（情報処理装置）の内部構成の一例を示す模式図である。
【発明を実施するための形態】
【００１６】
以下に、図面を参照しながら、本発明を実施するための形態（実施形態）について説明する。なお、以下に説明する本発明の各実施形態においては、本発明に係る情報処理システムとして、Ｘ線撮影システムを例に挙げて説明を行う。
【００１７】
（第１の実施形態）
まず、本発明の第１の実施形態について説明する。
図１は、本発明の第１の実施形態に係るＸ線撮影システム（情報処理システム）の概略構成の一例を示す模式図である。
【００１８】
Ｘ線撮影システム１００は、図１に示すように、Ｘ線撮影装置１１０、Ｘ線発生装置１２０、Ｘ線検出装置１３０、ＲＩＳ１４０、ＰＡＣＳ１５０、及び、病院内ネットワーク１６０を有して構成されている。
【００１９】
Ｘ線撮影装置１１０は、病院内ネットワーク１６０に接続されており、ＲＩＳ１４０やＰＡＣＳ１５０と情報の通信を行うことができるように構成された情報処理装置である。また、Ｘ線撮影装置１１０は、Ｘ線発生装置１２０及びＸ線検出装置１３０と通信可能に接続されている。
【００２０】
例えば、Ｘ線撮影装置１１０は、ＲＩＳ１４０からＸ線撮影装置１１０で実施すべき検査依頼情報を受信し、その検査依頼情報に従ってＸ線発生装置１２０及びＸ線検出装置１３０を制御して、被写体である患者２００に対してＸ線撮影の検査を実施する。具体的に、Ｘ線撮影装置１１０は、Ｘ線発生装置１２０のＸ線発生制御部１２１に対して、Ｘ線管球１２２の管電圧や管電流、Ｘ線管球１２２から照射するＸ線１２３の照射時間などのＸ線発生条件を送信する。
【００２１】
Ｘ線発生装置１２０は、Ｘ線１２３を発生させるものであり、Ｘ線発生制御部１２１と、Ｘ線管球１２２を有して構成されている。Ｘ線発生制御部１２１は、Ｘ線撮影装置１１０から送信されたＸ線発生条件に従ってＸ線管球１２２を制御する。そして、Ｘ線管球１２２は、Ｘ線発生制御部１２１の制御に基づいて、被写体である患者２００に対して、Ｘ線１２３を発生させる。
【００２２】
Ｘ線検出装置（Ｘ線センサ）１３０は、患者２００を透過したＸ線をデジタル画像として検出する。この際、Ｘ線撮影装置１１０は、Ｘ線検出装置１３０から出力されたデジタル画像を受信して、当該デジタル画像に必要な画像処理を施した後、これを医用画像として、例えば、ＰＡＣＳ１５０に送信する。
【００２３】
ＲＩＳ１４０は、放射線情報システムであり、各診療科から依頼された検査依頼情報を管理している。
【００２４】
ＰＡＣＳ１５０は、病院内ネットワーク１６０に接続されている各種のモダリティー（Ｘ線撮影装置１１０等）から医用画像を収集して管理する。
【００２５】
図２は、本発明の第１の実施形態に係るＸ線撮影装置（情報処理装置）の内部構成の一例を示す模式図である。
Ｘ線撮影装置１１０は、図２に示すように、制御部１１１、ＲＡＭ１１２、Ｘ線センサＩＦ１１３、Ｘ線発生装置ＩＦ１１４、記憶部１１５、入力部１１６、表示部１１７、ＮＩＣ１１８、及び、バスを有して構成されている。
【００２６】
制御部１１１は、必要に応じて、バスに接続されている、ＲＡＭ１１２、Ｘ線センサＩＦ１１３、Ｘ線発生装置ＩＦ１１４、記憶部１１５、入力部１１６、表示部１１７及びＮＩＣ１１８を制御することにより、Ｘ線撮影装置１１０全体を制御する。この際、制御部１１１は、例えば記憶部１１５に記録されている制御プログラムをＲＡＭ１１２に転送してＲＡＭ１１２内の制御プログラムを逐次実行することにより、バスに接続される各構成部の制御を行う。
【００２７】
ＲＡＭ１１２は、情報の一時記憶部であり、制御部１１１で実行する制御プログラムの格納領域、表示される画像データの格納領域、制御プログラムが使用するメモリ領域として使用される。
【００２８】
Ｘ線センサＩＦ１１３は、当該Ｘ線撮影装置１１０とＸ線検出装置（Ｘ線センサ）１３０とを接続するためのインターフェースであり、制御部１１１の制御により、Ｘ線検出装置１３０から、医用画像となるデジタル画像を取得する。
【００２９】
Ｘ線発生装置ＩＦ１１４は、当該Ｘ線撮影装置１１０とＸ線発生装置１２０とを接続するためのインターフェースであり、制御部１１１の制御により、Ｘ線発生装置１２０からＸ線１２３を照射させる。
【００３０】
記憶部１１５は、例えばＨＤＤ等で構成される不揮発性の情報記憶媒体であり、制御部１１１で実行するための制御プログラムやＸ線検出装置１３０から受信した画像を含む実施済み検査の情報の記憶領域として使用される。
【００３１】
入力部１１６は、操作者が例えばＧＵＩ（Graphical User Interface：グラフィカルユーザインターフェース）を操作する際に使用する入力装置である。この入力部１１６は、例えば、マウスやタッチパネルなどのポインティングデバイス、必要に応じてキーボードなどで構成されている。
【００３２】
表示部１１７は、例えばＬＣＤやＣＲＴ等の表示装置で構成され、制御部１１１の制御に基づいて、ＧＵＩや医用画像を表示する。
【００３３】
ＮＩＣ１１８は、ネットワークインターフェースカードであり、病院内ネットワーク１６０と接続できるように構成されている。制御部１１１は、このＮＩＣ１１８を介して、ＲＩＳ１４０やＰＡＣＳ１５０と通信を行う。
【００３４】
次に、Ｘ線撮影装置１１０の動作に関して、フローチャートと、表示部１１７に表示される画面の例とを用いて説明する。
【００３５】
本実施形態に係るＸ線撮影装置１１０は、複数の作業に係る処理を並行して実行可能に構成されている。例えば、実施する作業の種類としては、Ｘ線撮影による検査と、過去の検査で撮影済み画像の参照等である。そして、Ｘ線撮影装置１１０の表示部１１７には、これらの作業を新規に追加するために、ＧＵＩとして新規検査ボタンと過去検査参照ボタンが表示されており、操作者はこれらのボタンを押すことにより、作業を開始するようになっている。
【００３６】
図３は、本発明の第１の実施形態に係るＸ線撮影装置（情報処理装置）において、新規検査ボタンが操作された際の処理手順の一例を示すフローチャートである。
【００３７】
操作者により入力部１１６を介して新規検査ボタンが押されると、まず、ステップＳ１０１において、Ｘ線撮影装置１１０の制御部１１１は、ＲＩＳ１４０にアクセスして検査情報（検査依頼情報）を取得する処理を行う。
【００３８】
続いて、ステップＳ１０２において、Ｘ線撮影装置１１０の制御部１１１は、新規検査リストを表示部１１７に表示する処理を行う。
【００３９】
図４は、本発明の第１の実施形態を示し、新規検査ボタンが押されたときに、図２の表示部１１７に表示される新規検査リストの画面の一例を示す模式図である。
【００４０】
図４に示す新規検査リストの画面４００には、新規検査ボタン４１０、過去検査参照ボタン４２０、新規検査リスト４３０、キャンセルボタン４４０、及び、検査開始ボタン４５０が構成されている。
【００４１】
新規検査リスト４３０には、１つの新規の検査が１行で示されており、１つの新規の検査ごとに、検査日、患者ＩＤ、患者名、性別、年齢、撮影数、コメントなどの検査情報が示されている。操作者は、表示された新規検査リスト４３０の中から実施すべき検査を選択して検査開始ボタン４５０を押すか、或いは、キャンセルボタン４４０を押して、新規検査リストの画面４００の表示を終了する。この際、表示された新規検査リスト４３０の中から操作者が実施すべき検査を選択すると、例えば、検査４３１のように識別表示される。
【００４２】
再び、図３の説明に戻る。
続いて、ステップＳ１０３において、Ｘ線撮影装置１１０の制御部１１１は、操作者により、表示部１１７に表示された新規検査リスト４３０の中から実施すべき検査が選択されて検査開始ボタン４５０が押されたか否かを判断する。
【００４３】
ステップＳ１０３の判断の結果、新規検査リスト４３０の中から実施すべき検査が選択されて検査開始ボタン４５０が押されることがなかった場合には（Ｓ１０３／ＮＯ）、ステップＳ１０４に進む。
【００４４】
続いて、ステップＳ１０４において、Ｘ線撮影装置１１０の制御部１１１は、操作者により、キャンセルボタン４４０が押されたか否かを判断する。
【００４５】
ステップＳ１０４の判断の結果、キャンセルボタン４４０が押されていない場合には（Ｓ１０４／ＮＯ）、ステップＳ１０２に戻る。
【００４６】
一方、ステップＳ１０４の判断の結果、キャンセルボタン４４０が押された場合には（Ｓ１０４／ＹＥＳ）、ステップＳ１０５に進む。
【００４７】
ステップＳ１０５に進むと、Ｘ線撮影装置１１０の制御部１１１は、表示部１１７に表示されている新規検査リスト４３０の表示を消去して、図３に示すフローチャートの処理を終了する。
【００４８】
また、ステップＳ１０３の判断の結果、新規検査リスト４３０の中から実施すべき検査が選択されて検査開始ボタン４５０が押された場合には（Ｓ１０３／ＹＥＳ）、ステップＳ１０６に進む。
【００４９】
ステップＳ１０６に進むと、Ｘ線撮影装置１１０の制御部１１１は、表示部１１７に表示されている新規検査リスト４３０の表示を消去する処理を行う。
【００５０】
続いて、ステップＳ１０７において、Ｘ線撮影装置１１０の制御部１１１は、新規検査リスト４３０の中から選択された検査を新規作業として追加する処理を行う。その後、図３に示すフローチャートの処理を終了する。
【００５１】
図５は、本発明の第１の実施形態を示し、検査が新規作業として追加された際に、図２の表示部１１７に表示される検査画面の一例を示す模式図である。ここで、図５において、図４と同じ機能構成については、同じ符号を付している。
【００５２】
図５に示す検査画面５００には、新規検査ボタン４１０、過去検査参照ボタン４２０、新規検査内容表示部５３０、キャンセルボタン５４０、及び、検査終了ボタン５５０が構成されている。また、新規検査内容表示部５３０には、タブ５３１と、医用画像表示領域５３２と、撮影部位ボタン表示領域５３３が構成されている。
【００５３】
タブ５３１は、この検査（作業）を代表（識別）するＧＵＩの表示部品（見出し部）に相当するものであり、このタブ５３１には、検査を識別できるように、患者ＩＤ（図５の「０５０１」）と患者名（図５の「田中次郎」）とが表示される。
【００５４】
医用画像表示領域５３２は、タブ５３１の下方の大きな四角形の領域として構成され、撮影された患者の医用画像を表示する領域である。
【００５５】
撮影部位ボタン表示領域５３３は、医用画像表示領域５３２の右側に構成され、当該患者において撮影が予定されている撮影部位を示す撮影部位ボタン（５３３ａ〜５３３ｃ）が示されている。また、撮影部位ボタン表示領域５３３では、撮影部位ボタンにおける上からの並び順によって、撮影順序を示している。図５に示す撮影部位ボタン表示領域５３３の例では、各撮影部位ボタン（５３３ａ〜５３３ｃ）の表示により、「胸部ＰＡ」、「胸部ＲＬ」及び「腹部ＰＡ」の計３枚の撮影がこの順序で予定されていることを示している。
【００５６】
キャンセルボタン５４０は、検査画面５００をキャンセルする際に、操作者によって操作されるボタンである。また、検査終了ボタン５５０は、当該検査を終了する際に、操作者によって操作されるボタンである。
【００５７】
次に、操作者により、過去検査参照ボタンが操作された際の動作について説明する。
図６は、本発明の第１の実施形態に係るＸ線撮影装置（情報処理装置）において、過去検査参照ボタンが操作された際の処理手順の一例を示すフローチャートである。
【００５８】
操作者により入力部１１６を介して過去検査参照ボタンが押されると、まず、ステップＳ２０１において、Ｘ線撮影装置１１０の制御部１１１は、過去検査リストを表示部１１７に表示する処理を行う。
【００５９】
図７は、本発明の第１の実施形態を示し、過去検査参照ボタンが押されたときに、図２の表示部１１７に表示される過去検査リストの画面の一例を示す模式図である。ここで、図７において、図４等と同じ機能構成については、同じ符号を付している。
【００６０】
図７に示す過去検査リストの画面７００には、新規検査ボタン４１０、過去検査参照ボタン４２０、過去検査リスト７３０、キャンセルボタン７４０、及び、参照ボタン７５０が構成されている。
【００６１】
過去検査リスト７３０には、１つの過去の検査が１行で示されており、１つの過去の検査ごとに、検査日、患者ＩＤ、患者名、性別、年齢、撮影数、コメントなどの検査情報が示されている。操作者は、表示された過去検査リスト７３０の中から参照すべき検査を選択して参照ボタン７５０を押すか、或いは、キャンセルボタン７４０を押して、過去検査リストの画面７００の表示を終了する。この際、表示された過去検査リスト７３０の中から操作者が参照すべき検査を選択すると、例えば、検査７３１のように識別表示される。
【００６２】
再び、図６の説明に戻る。
続いて、ステップＳ２０２において、Ｘ線撮影装置１１０の制御部１１１は、操作者により、表示部１１７に表示された過去検査リスト７３０の中から参照すべき検査が選択されて参照ボタン７５０が押されたか否かを判断する。
【００６３】
ステップＳ２０２の判断の結果、過去検査リスト７３０の中から参照すべき検査が選択されて参照ボタン７５０が押されることがなかった場合には（Ｓ２０２／ＮＯ）、ステップＳ２０３に進む。
【００６４】
続いて、ステップＳ２０３において、Ｘ線撮影装置１１０の制御部１１１は、操作者により、キャンセルボタン７４０が押されたか否かを判断する。
【００６５】
ステップＳ２０３の判断の結果、キャンセルボタン７４０が押されていない場合には（Ｓ２０３／ＮＯ）、ステップＳ２０１に戻る。
【００６６】
一方、ステップＳ２０３の判断の結果、キャンセルボタン７４０が押された場合には（Ｓ２０３／ＹＥＳ）、ステップＳ２０４に進む。
【００６７】
ステップＳ２０４に進むと、Ｘ線撮影装置１１０の制御部１１１は、表示部１１７に表示されている過去検査リスト７３０の表示を消去して、図６に示すフローチャートの処理を終了する。
【００６８】
また、ステップＳ２０２の判断の結果、過去検査リスト７３０の中から参照すべき検査が選択されて参照ボタン７５０が押された場合には（Ｓ２０２／ＹＥＳ）、ステップＳ２０５に進む。
【００６９】
ステップＳ２０５に進むと、Ｘ線撮影装置１１０の制御部１１１は、表示部１１７に表示されている過去検査リスト７３０の表示を消去する処理を行う。
【００７０】
続いて、ステップＳ２０６において、Ｘ線撮影装置１１０の制御部１１１は、過去検査リスト７３０の中から選択された検査の参照を新規作業として追加する処理を行う。その後、図６に示すフローチャートの処理を終了する。
【００７１】
図８は、本発明の第１の実施形態を示し、検査の参照が新規作業として追加された際に、図２の表示部１１７に表示される参照画面の一例を示す模式図である。ここで、図８において、図４等と同じ機能構成については、同じ符号を付している。
【００７２】
図８に示す参照画面８００には、新規検査ボタン４１０、過去検査参照ボタン４２０、過去検査内容表示部８３０、及び、参照終了ボタン８４０が構成されている。また、過去検査内容表示部８３０には、タブ８３１と、医用画像表示領域８３２と、撮影部位ボタン表示領域８３３と、検査日時表示領域８３４が構成されている。
【００７３】
タブ８３１は、図５に示す検査画面５００と同様に、検査を区別できるように、患者ＩＤ（図８の「０５０１」）と患者名（図８の「田中次郎」）とが表示される。
【００７４】
撮影部位ボタン表示領域８３３の各撮影部位ボタン（８３３ａ〜８３３ｃ）が選択されると、その選択された撮影部位ボタンに対応する撮影部位の医用画像が医用画像表示領域８３２に表示される。図８に示す例では、当該患者の過去検査において、「胸部ＰＡ」、「胸部ＲＬ」及び「腹部ＰＡ」の計３枚の医用画像がこの順序で撮影されたことを示している。
【００７５】
検査日時表示領域８３４には、例えば医用画像表示領域８３２に表示された医用画像がいつ撮影された画像であるかを示す検査日時情報が表示される。
【００７６】
また、参照終了ボタン８４０が押されると、この参照画面８００の表示が消去されて参照作業が終了する。
【００７７】
次に、図５に示す検査画面５００の操作に対する処理について説明する。
図９は、本発明の第１の実施形態に係るＸ線撮影装置（情報処理装置）において、図５に示す検査画面５００の操作に対する処理手順の一例を示すフローチャートである。
【００７８】
図５は、検査の作業を開始した時点の検査画面５００であるが、この検査画面５００に関する処理としては、検査終了ボタン５５０の押下による検査終了処理、キャンセルボタン５４０の押下によるキャンセル処理、Ｘ線画像（医用画像）の撮影処理がある。なお、図５の検査画面５００は、図４の新規検査リストの画面４００で検査開始ボタン４５０が押された場合に移行するものであるため、Ｘ線画像の撮影処理は、例えば、キャンセルボタン５４０及び検査終了ボタン５５０が押下されたかった場合に行われる。ここで、例えば、図５の検査画面５００に検査開始ボタンを新たに構成し、当該検査開始ボタンが押下された場合に、Ｘ線画像（医用画像）の撮影処理を行う形態であってもよい。
【００７９】
まず、図９のステップＳ３０１において、Ｘ線撮影装置１１０の制御部１１１は、操作者により、検査終了ボタン５５０が押されたか否かを判断する。
【００８０】
ステップＳ３０１の判断の結果、検査終了ボタン５５０が押されていない場合には（Ｓ３０１／ＮＯ）、ステップＳ３０２に進む。
【００８１】
ステップＳ３０２に進むと、Ｘ線撮影装置１１０の制御部１１１は、操作者により、キャンセルボタン５４０が押されたか否かを判断する。
【００８２】
ステップＳ３０２の判断の結果、キャンセルボタン５４０が押されていない場合には（Ｓ３０２／ＮＯ）、ステップＳ３０３に進む。
【００８３】
ステップＳ３０３に進むと、Ｘ線撮影装置１１０の制御部１１１は、Ｘ線画像（医用画像）の撮影処理を行うか否かを判断する。
【００８４】
ステップＳ３０３の判断の結果、Ｘ線画像（医用画像）の撮影処理を行わない場合には（Ｓ３０３／ＮＯ）、ステップＳ３０１に戻る。
【００８５】
一方、ステップＳ３０３の判断の結果、Ｘ線画像（医用画像）の撮影処理を行う場合には（Ｓ３０３／ＹＥＳ）、ステップＳ３０４に進む。
【００８６】
ステップＳ３０４に進むと、Ｘ線撮影装置１１０の制御部１１１は、Ｘ線発生装置１２０及びＸ線検出装置１３０を制御して、当該患者２００に対するＸ線撮影の検査を実施し、Ｘ線検出装置１３０からデジタル画像を読み込む処理を行う。
【００８７】
続いて、ステップＳ３０５において、Ｘ線撮影装置１１０の制御部１１１は、ステップＳ３０４で読み込んだデジタル画像に対して必要な画像処理を施した後、これを医用画像として、表示部１１７に表示する処理を行う。
【００８８】
図１０は、本発明の第１の実施形態を示し、図５に示す検査画面５００の状態から、１枚の医用画像を撮影した後の検査画面の一例を示す模式図である。ここで、図１０において、図５と同じ機能構成については、同じ符号を付している。
【００８９】
図１０に示す検査画面１０００では、医用画像表示領域５３２に、撮影により得られた医用画像が表示されている。また、撮影部位ボタン表示領域５３３に表示されている、撮影が予定されている撮影部位のボタン（５３３ａ〜５３３ｃ）のうち、今撮影を行った撮影部位のボタン（具体的に、撮影部位ボタン５３３ａ）について、その色を変更して撮影済みであることを明示する。
【００９０】
図９のステップＳ３０５の処理が終了すると、その後、ステップＳ３０１に戻る。
【００９１】
また、ステップＳ３０１の判断の結果、検査終了ボタン５５０が押された場合には（Ｓ３０１／ＹＥＳ）、ステップＳ３０６に進む。
【００９２】
ステップＳ３０６に進むと、Ｘ線撮影装置１１０の制御部１１１は、当該検査に関する情報として、ＲＩＳ１４０から受信した検査情報（検査依頼情報）と撮影した医用画像の情報を記憶部１１５に保存する処理を行う。
【００９３】
続いて、ステップＳ３０７に進むと、Ｘ線撮影装置１１０の制御部１１１は、Ｘ線撮影により得られた医用画像をＰＡＣＳ１５０に転送する処理を行う。
【００９４】
ステップＳ３０７の処理が終了した場合、或いは、ステップＳ３０２でキャンセルボタン５４０が押されたと判断された場合には（Ｓ３０２／ＹＥＳ）、ステップＳ３０８に進む。
【００９５】
ステップＳ３０８に進むと、Ｘ線撮影装置１１０の制御部１１１は、表示部１１７に表示されている検査画面の表示を消去して、図９に示すフローチャートの処理を終了する。
【００９６】
本実施形態に係るＸ線撮影装置１１０では、予定されていた全ての撮影部位の撮影が終了しない状態でも検査作業を終了することもでき、また、全ての撮影部位の撮影を終了した後、操作者の判断で撮影を追加することもできるように構成されている。
【００９７】
通常は、新規の検査を開始したら、その作業が終了するまでその作業に専念するが、時には、現在実施している検査よりも緊急度の高い検査を先に実施したい場合もある。本実施形態に係るＸ線撮影システム１００では、複数の作業を並行して実施できるので、このような要望に応えることができる。
【００９８】
図１０に示す検査画面１０００の状態は、上述したように、ある患者（具体的には、患者ＩＤが「０５０１」で患者名が「田中次郎」）の検査を実施中で１枚目の撮影を終了したところである。この患者の撮影枚数は、各撮影部位ボタン（５３３ａ〜５３３ｃ）に示される３枚であるため、あと２枚の撮影が残っているが、本実施形態では、当該患者の検査を終了することなく、緊急度の高い他の患者の検査を実施することができるように構成されている。
【００９９】
この場合には、具体的に、操作者が現在の検査作業を終了せずに新規検査ボタン４１０を押して、通常の検査作業を開始するのと同じ操作で新規検査リスト（例えば、図４に示す新規検査リスト４３０）の中から次の検査を選択することになる。
【０１００】
図１１は、本発明の第１の実施形態を示し、図１０に示す検査画面１０００の状態から、新たな患者の検査が新規作業として追加された際に、図２の表示部１１７に表示される検査画面の一例を示す模式図である。ここで、図１１おいて、図５と同じ機能構成については、同じ符号を付している。
【０１０１】
この図１１に示す検査画面１１００では、カレント作業に係るタブがタブ１１１１となっており、新規検査内容表示部１１１０に、その新規検査内容が示されている。また、図１１に示す検査画面１１００では、先ほど実施中であった図１０に示す検査は保留状態となり、ＧＵＩ上では非選択状態のタブ１１２０として表示部１１７に表示される。
【０１０２】
具体的に、例えば制御部１１１は、保留状態となった検査におけるタブ１１２０に、患者ＩＤ及び患者名の情報（図１１の「０５０１  田中次郎」）１１２１と、その保留状態を示す保留情報１１２２を表示する制御を行う。本実施形態では、保留状態になった検査作業は、保留になった時点の状態を保持したまま動作が停止している。即ち、図９で示すフローチャートの処理を実行するタスクが停止したまま保留された時点の状態を保ち、新規に追加された検査作業のタスクは、別途、図９に示すフローチャートの処理を実行するのである。
【０１０３】
ここで、保留情報１１２２について説明する。
保留された検査作業のタブ１１２０には、保留情報１１２２として、保留された時点からの（カレント作業のフォーカスが外れた時点からの）時間である保留時間が表示される。具体的に、図１１に示す例では、保留情報１１２２として、「保留」の状態である旨と、保留時間が［０：０３：２６］である旨が示されている。
【０１０４】
図１２は、本発明の第１の実施形態に係るＸ線撮影装置（情報処理装置）で管理される保留情報テーブルの一例を示す模式図である。この図１２に示す保留情報テーブルには、各タブに表示すべき保留情報が記録されており、例えば、図２に示す記憶部１１５に記憶されて管理される。
【０１０５】
図１２に示す保留情報テーブルは、保留時間とともに、どのタブがカレント作業のタブであるのかを管理している。具体的に、カレント作業のタブは、図１２に示すカレントタブ「１」で示されており、それ以外の保留されているタブは、図１２に示すカレントタブ「０」で示されている。即ち、保留されているタブの表示は、図１２に示すカレントタブ「０」のタブが対象となる。保留されているタブの保留情報（保留時間）は、例えば制御部１１１によって計測された時間が、定期的に、記憶部１１５に記憶されて管理される。ここで、この保留時間の計測を行う制御部１１１は、時間計測手段を構成する。なお、本例では、制御部１１１が保留時間の計測を行うようにしているが、例えば、図２に示すＸ線撮影装置１１０の内部構成として、別途、時間計測手段を設けて、当該時間計測手段が制御部１１１の制御に従って保留時間の計測を行うようにした形態でもよい。
【０１０６】
また、カレント作業のタブ、即ち、図１２に示すカレントタブ「１」のタブに対応する保留情報（保留時間）は、保留状態でないため、［０：００：００］となっている。また、本実施形態では、保留情報１１２２の表示は、検査作業を実行するタスクとは別のタスクが定期的に行うものとする。
【０１０７】
具体的に、図１２に示す保留情報テーブルは、タブが追加されたり、削除されたり、操作者の操作によりカレントの作業が切り替えられたタイミングで、例えば制御部１１１より適切に変更される。
【０１０８】
例えばタブが追加された時は、例えば制御部１１１は、表示部１１７に新たなタブを表示する処理を行う。さらに、例えば制御部１１１は、図１２の保留情報テーブルに当該タブに対応する行を追加し、保留情報として［０：００：００］を格納して、当該タブがカレントとなるようにカレントタブの情報を「１」に更新する。また、このとき、例えば制御部１１１は、保留されたタブに関して時間の計測を開始する。
【０１０９】
図１３は、本発明の第１の実施形態を示し、図１１に示す検査画面１１００の状態から、新たな患者の検査が新規作業として追加され、１枚の医用画像を撮影した後の検査画面の一例を示す模式図である。
【０１１０】
この図１３に示す検査画面１３００の状態は、カレント作業に係るタブがタブ１３１１となっており、新規検査内容表示部１３１０に、その新規検査内容が示されている。また、図１３に示す検査画面１３００では、保留されている作業が、タブ１３２０に係る作業及びタブ１３３０に係る作業の２つある場合を示している。そして、各タブ１３２０及び１３３０には、それぞれ、患者ＩＤ及び患者名の情報１３２１及び１３３１と、その保留状態を示す保留情報１３２２及び１３３２が表示されている。
【０１１１】
具体的に、図１３のタブ１３２０に係る作業は、図１１のタブ１１１１に係る作業に相当し、図１３のタブ１３３０に係る作業は、図１１のタブ１１２０に係る作業に相当し、それぞれ、保留情報１３２２及び１３３２において保留時間が更新されている。より具体的には、タブ１３２０に係る作業は、保留時間が１分１５秒であり、タブ１３３０に係る作業は、保留時間が５分４１秒であることを示している。
【０１１２】
そして、例えば制御部１１１は、カレント作業（図１３に示す例では、タブ１３１１に係る作業）が終了して、当該タブの表示を削除した場合、図１２の保留情報テーブルからも対応する行を削除する処理を行う。そして、例えば制御部１１１は、保留情報の保留時間が最も短いタブを探し、当該タブがカレントタブとなるように、図１２の保留情報テーブルを更新するとともに、表示部１１７の検査画面を更新表示する表示制御を行う。この際、カレント作業のタブの保留情報を、［０：００：００］にリセットして、図１２の保留情報テーブルを更新する。
【０１１３】
本実施形態では、このように処理を行うことで、現在実行していたカレント作業の直前に実行していた作業に自動的に戻るように制御する。例えば、図１３に示す検査画面１３００の状態から操作者が検査終了ボタン５５０を押して、カレントの検査の作業（タブ１３１１に係る作業）を終了すると、図１１に示す検査画面１１００のようなタブの選択状態になる。ただし、保留されているタブの保留情報は、その時点の保留時間が表示される。
【０１１４】
操作者が保留されているタブを選択して、カレントの作業が変更された場合には、例えば制御部１１１は、表示部１１７の表示をそのように更新する表示制御を行う。同時に、例えば制御部１１１は、図１２に示す保留情報テーブルのカレントタブの情報を更新し、カレントとなったタブの保留情報を［０：００：００］にリセットして、保留されたタブに関して保留時間の計測を開始する。例えば、図１３の検査画面１３００において、操作者が、左から２番目のタブ１３２０を選択すると、図１４に示すような検査画面１４００の状態になる。
【０１１５】
図１４は、本発明の第１の実施形態を示し、図１３に示す検査画面１３００の状態から、左から２番目のタブ１３２０が選択された場合の検査画面の一例を示す模式図である。
具体的に、図１４のタブ１４１０に係る作業は、図１３のタブ１３１１に係る作業に相当し、図１４のタブ１４２１に係る作業は、図１３のタブ１３２０に係る作業に相当し、図１４のタブ１４３０に係る作業は、図１３のタブ１３３０に係る作業に相当する。
【０１１６】
この図１４に示す検査画面１４００の状態は、カレント作業に係るタブがタブ１４２１となっており、新規検査内容表示部１４２０に、その新規検査内容が示されている。また、図１４に示す検査画面１４００では、保留されている作業のタブである各タブ１４１０及び１４３０には、それぞれ、患者ＩＤ及び患者名の情報１４１１及び１４３１と、その保留状態を示す保留情報１４１２及び１４３２が表示されている。
【０１１７】
一般に、操作者は、新規の作業を追加する場合、現在実施していた作業よりも優先度が高い作業を追加する。しかしながら、従来の技術においては、例えば追加する作業が増えた場合、保留された作業がどのくらい待たされているのかを判断することができず、保留中の作業が放置されたままになる可能性があった。この場合、保留されている作業の保留時間が長い場合には、新規の作業を追加しないで保留中の作業を先に実施する方がよい場合もあり得る。
【０１１８】
この点、本実施形態のＸ線撮影装置１１０では、まず、複数の作業ごとに、各作業を識別するタブ（見出し部）を表示部１１７に表示し、制御部１１１において、入力部１１６を介したタブの選択に基づいてカレントの作業を切り替えるようにしている。そして、制御部１１１は、カレントの作業が切り替えられた際に、当該カレントの作業以外の保留の作業に係るタブに、当該保留の作業の保留状態を示す保留情報（保留時間等）を表示する制御を行うようにしている。これにより、操作者は、保留された作業がどのくらい保留されているのかを知ることができる。したがって、本実施形態によれば、保留中の作業が放置されたままになることを防止することが可能である。特に、本実施形態で示すように、本発明の係る情報処理システムをＸ線撮影システムに適用する場合、患者２００の待ち時間が不必要に長くなることを防ぐことができる。
【０１１９】
また、本実施形態では、保留情報として、カレント作業のフォーカスが外れた時点から計測した時間を適用した例を示したが、カレント作業のフォーカスが最初に外れた時点から計測した時間を保留情報として適用することもできる。また、保留情報として、全ての保留期間を積算した時間を適用することもできる。これらの場合も、保留情報として、カレント作業のフォーカスが外れた時点から計測した時間を適用した場合と同様の効果が得られる。
【０１２０】
（第２の実施形態）
次に、本発明の第２の実施形態について説明する。
第２の実施形態に係るＸ線撮影システムの概略構成は、図１に示す第１の実施形態に係るＸ線撮影システム１００の概略構成と同様である。また、第２の実施形態に係るＸ線撮影装置の内部構成は、図２に示す第１の実施形態に係るＸ線撮影装置１１０の内部構成と同様である。また、第２の実施形態における新規検査作業の追加の仕組みや、過去検査参照作業を追加する仕組み、更には、検査作業の開始から終了までのフローチャートにおける処理も第１の実施形態と同様である。
【０１２１】
Ｘ線撮影システム１００における作業としては、第１の実施形態で説明したように、検査作業と過去検査の参照作業との２種類が存在する。そして、検査作業を保留すると、その検査の患者は、保留が解除されるまで待たされることになる。一方、過去検査の参照作業は、操作者が過去の画像を参照する目的で実施するものであり、その作業を保留状態にしても患者が待たされることはない。そのような作業に関しては、保留して放置してもＸ線撮影システム１００内にタスクが存在するだけであって、大きな問題にはならない。
【０１２２】
また、全ての保留中の作業に関して保留情報を表示すると、放置してはいけない作業と、放置しても問題ない作業との区別がし難いということも考えられる。そこで、第２の実施形態では、作業の内容に基づいて、保留して放置しても問題のないものに関しては、保留中に保留情報を表示しないようにする。
【０１２３】
図１５は、本発明の第２の実施形態に係るＸ線撮影装置（情報処理装置）で管理される保留情報テーブルの一例を示す模式図である。
図１５に示す保留情報テーブルにおいて、第１の実施形態で使用した図１２の保留情報テーブルとの違いは、保留情報表示フラグを追加したことである。この保留情報表示フラグは、そのタブが保留中の場合、保留情報を表示するかどうかを示すものである。
【０１２４】
図１５に示す保留情報テーブルの保留情報表示フラグが「１」で、且つ、カレントタブが「０」のタブが、保留情報の表示対象である。本実施形態では、例えば制御部１１１は、図１５に示す保留情報テーブルに新たなタブを追加する際に、そのタブの作業項目の内容によって保留情報表示フラグの値を決定する。本実施形態においては、例えば制御部１１１は、検査作業である場合は保留情報表示フラグを「１」に設定し、過去検査参照作業である場合は保留情報表示フラグを「０」に設定する。
【０１２５】
図１６は、本発明の第２の実施形態を示し、新規検査作業を開始した後に同じ患者の過去検査参照作業を追加し、更に新規検査作業を２件追加した際に、図２の表示部１１７に表示される検査画面の一例を示す模式図である。この図１６に示す検査画面１６００は、図１５に示す保留情報テーブルに対応している。即ち、図１６に示す新規検査内容表示部１６１０のタブ１６１１が図１５に示すタブ１に該当し、図１６に示すタブ１６２０、１６３０及び１６４０が、それぞれ、図１５に示すタブ２〜４に該当する。
【０１２６】
ここでは、図１５に示す保留情報テーブルの内容に従って、保留されている作業のうち、検査作業のタブ（図１６に示す例では、タブ１６２０及び１６４０）だけに保留情報（図１６に示す例では、保留情報１６２２及び１６４２）を表示するように制御している。このように、図１５に示す保留情報テーブルを内部に備えるようにすることにより、保留して放置しても問題のない作業に関しては、保留中に保留情報を表示しないように制御できる。
【０１２７】
第２の実施形態のＸ線撮影装置１１０では、保留の作業の内容に応じて、保留の作業に係るタブ（見出し部）に保留情報を表示・非表示とする制御を行うようにしている。具体的には、保留の作業の内容がＸ線撮影を伴う検査である場合に、当該保留の作業に係るタブに保留情報を表示し、保留の作業の内容がＸ線撮影を伴う検査ではない場合に、当該保留の作業に係るタブに保留情報を非表示とする制御を行うようにしている。これにより、保留して放置しても問題ない作業に関して余計な情報を非表示とすることができ、また、放置すべきでない作業を作業者に対して強調することが可能となる。
【０１２８】
（第３の実施形態）
次に、本発明の第３の実施形態について説明する。
第２の実施形態に係るＸ線撮影システムの概略構成は、図１に示す第１の実施形態に係るＸ線撮影システム１００の概略構成と同様である。また、第２の実施形態における新規検査作業の追加の仕組みや、過去検査参照作業を追加する仕組み、更には、検査作業の開始から終了までのフローチャートにおける処理も第１の実施形態と同様である
【０１２９】
図１７は、本発明の第３の実施形態に係るＸ線撮影装置（情報処理装置）の内部構成の一例を示す模式図である。ここで、図１７において、図２と同様の構成については、同じ符号を付している。
【０１３０】
図１７に示す第３の実施形態に係るＸ線撮影装置１１０−２は、図２に示す第１の実施形態に係るＸ線撮影装置１１０に対して、アラーム音鳴動部１１９が追加されて構成されている。また、Ｘ線撮影装置１１０−２の内部（例えば記憶部１１５）に持つ情報として、新たにリミット時間情報を設定する。このリミット時間情報は、保留された作業の保留時間におけるリミット時間（一定の時間）を示す情報であり、保留時間がこのリミット時間に達すると、例えば制御部１１１は、アラーム音鳴動部１１９を鳴動させる制御を行う。また、例えば制御部１１１は、リミット時間を超えた作業をカレントの状態にすると、アラーム音鳴動部１１９によるアラーム音の鳴動を停止する制御を行う。
【０１３１】
第３の実施形態によれば、保留中の作業が放置されたままになることを防ぐ効果を更に高めることができる。
【０１３２】
（第４の実施形態）
次に、本発明の第４の実施形態について説明する。
第４の実施形態に係るＸ線撮影システムの概略構成は、図１に示す第１の実施形態に係るＸ線撮影システム１００の概略構成と同様である。また、第４の実施形態に係るＸ線撮影装置の内部構成は、図２に示す第１の実施形態に係るＸ線撮影装置１１０の内部構成と同様である。また、第４の実施形態における新規検査作業の追加の仕組みや、過去検査参照作業を追加する仕組み、更には、検査作業の開始から終了までのフローチャートにおける処理も第１の実施形態と同様である。
【０１３３】
上述した第１の実施形態では、保留情報として、保留時間を表示するものであったが、本発明においてはこれに限定されるものではなく、第４の実施形態では、保留情報として、保留時間ではなく、保留の順序情報を表示するものである。
第４の実施形態における保留の順序情報としては、例えば、カレント作業のフォーカスが外れた順序情報や、カレント作業のフォーカスが最初に外れた順序情報、或いは、全ての保留期間を積算した時間が長い順序情報を適用することが考えられる。本実施形態では、第１の実施形態における保留時間が長い順に、１、２、３・・・として、その保留の順序情報を保留時間の代わりに保留情報として表示するものである。このように保留の順序情報を表示しても、第１の実施形態と同様の効果が得られる。
【０１３４】
（本発明の他の実施形態）
前述した各実施形態に係るＸ線撮影装置１１０を構成する図２の各手段の処理、及びＸ線撮影装置１１０の制御方法を示す図３、図６及び図９の各ステップは、コンピュータのＣＰＵが記憶媒体に記憶されているプログラムを実行することによって実現できる。このプログラム及び当該プログラムを記憶したコンピュータ読み取り可能な記録媒体は本発明に含まれる。
【０１３５】
また、本発明は、例えば、システム、装置、方法、プログラム若しくは記憶媒体等としての実施形態も可能であり、具体的には、複数の機器から構成されるシステムに適用してもよいし、また、１つの機器からなる装置に適用してもよい。
【０１３６】
なお、本発明は、前述した各実施形態の機能を実現するソフトウェアのプログラム（実施形態では図３、図６及び図９に示すフローチャートに対応したプログラム）を、システム或いは装置に直接、或いは遠隔から供給するものを含む。そして、そのシステム或いは装置のコンピュータが前記供給されたプログラムコードを読み出して実行することによっても達成される場合も本発明に含まれる。
【０１３７】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【０１３８】
その場合、プログラムの機能を有していれば、オブジェクトコード、インタプリタにより実行されるプログラム、ＯＳに供給するスクリプトデータ等の形態であってもよい。
【０１３９】
プログラムを供給するための記録媒体としては、例えば、フレキシブルディスク、ハードディスク、光ディスク、光磁気ディスク、ＭＯ、ＣＤ−ＲＯＭ、ＣＤ−Ｒ、ＣＤ−ＲＷなどがある。また、磁気テープ、不揮発性のメモリカード、ＲＯＭ、ＤＶＤ（ＤＶＤ−ＲＯＭ，ＤＶＤ−Ｒ）などもある。
【０１４０】
その他、プログラムの供給方法としては、クライアントコンピュータのブラウザを用いてインターネットのホームページに接続する。そして、前記ホームページから本発明のコンピュータプログラムそのもの、若しくは圧縮され自動インストール機能を含むファイルをハードディスク等の記録媒体にダウンロードすることによっても供給できる。
【０１４１】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【０１４２】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、ダウンロードした鍵情報を使用することにより暗号化されたプログラムを実行してコンピュータにインストールさせて実現することも可能である。
【０１４３】
また、コンピュータが、読み出したプログラムを実行することによって、前述した各実施形態の機能が実現される。その他、そのプログラムの指示に基づき、コンピュータ上で稼動しているＯＳなどが、実際の処理の一部又は全部を行い、その処理によっても前述した各実施形態の機能が実現され得る。
【０１４４】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部又は全部を行い、その処理によっても前述した各実施形態の機能が実現される。
【０１４５】
なお、前述した各実施形態は、何れも本発明を実施するにあたっての具体化の例を示したものに過ぎず、これらによって本発明の技術的範囲が限定的に解釈されてはならないものである。即ち、本発明はその技術思想、又はその主要な特徴から逸脱することなく、様々な形で実施することができる。
【符号の説明】
【０１４６】
１１０  Ｘ線撮影装置
１１１  制御部
１１２  ＲＡＭ
１１３  Ｘ線センサＩＦ
１１４  Ｘ線発生装置ＩＦ
１１５  記憶部
１１６  入力部
１１７  表示部
１１８  ＮＩＣ
１２０  Ｘ線発生装置
１３０  Ｘ線検出装置（Ｘ線センサ）
１６０  病院内ネットワーク
【図１】
2010200917.tif 000003
【図２】
2010200917.tif 000004
【図３】
2010200917.tif 000005
【図４】
2010200917.tif 000006
【図５】
2010200917.tif 000007
【図６】
2010200917.tif 000008
【図７】
2010200917.tif 000009
【図８】
2010200917.tif 000010
【図９】
2010200917.tif 000011
【図１０】
2010200917.tif 000012
【図１１】
2010200917.tif 000013
【図１２】
2010200917.tif 000014
【図１３】
2010200917.tif 000015
【図１４】
2010200917.tif 000016
【図１５】
2010200917.tif 000017
【図１６】
2010200917.tif 000018
【図１７】
2010200917.tif 000019